(57)【要約】      （修正有）【課題】携帯性を損なうことなく過去の記録内容の確認を行いやすく、書きとめたメモを紛失するおそれのなく、書きとめたメモの記載した時期も確認しやすい手帳を提供する。【解決手段】年間カレンダー頁と、目標記入頁と、見開きの左側の頁に１日から１５日までの日ごとに区分した記入欄を設けるとともに、見開きの右側の頁に１６日から３１日までの日ごとに区分した記入欄を設けた月間カレンダー頁と、月間カレンダー頁と月間カレンダー頁との間に見開きの左側の頁も見開きの右側の頁も無地頁で構成されたメモ頁とを表紙１１と裏表紙との間に設け、表紙１１の表面から裏表紙の表面にかけて耐水性材のシート体１３を貼付けた手帳であって、５年分の年間カレンダー頁と、５年分の目標記入頁と、５年分の月間カレンダー頁と、５年分のメモ頁とを有する構成とする。【選択図】図１
0003147702.tif 000002
【実用新案登録請求の範囲】
【請求項１】
１年分のカレンダーを１頁に表示した年間カレンダー頁と、
１年間の目標を記入可能とした目標記入頁と、
見開きの左側の頁に１日から１５日までの日ごとに区分した記入欄を設けるとともに、見開きの右側の頁に１６日から３１日までの日ごとに区分した記入欄を設けた月間カレンダー頁と、
前記月間カレンダー頁と前記月間カレンダー頁との間に見開きの左側の頁も見開きの右側の頁も無地頁で構成されたメモ頁と
を表紙と裏表紙との間に設け、前記表紙の表面から前記裏表紙の表面にかけて耐水性材のシート体を貼付けた手帳であって、
５年分の前記年間カレンダー頁と、５年分の前記目標記入頁と、５年分の前記月間カレンダー頁と、５年分の前記月間カレンダー頁に対応する前記メモ頁とを有する手帳。
【請求項２】
請求項１に記載の手帳において、前記月間カレンダー頁には、所定の日付の記入欄に月齢を示すマーク、二十四節気の名称、または六曜を表示したことを特徴とする手帳。
【請求項３】
請求項１又は請求項２に記載の手帳において、前記月間カレンダー頁は、水平方向に延伸させた複数の罫線によって前記記入欄を形成し、上から順番に昇順で各日用の記入欄とするとともに、各月の第１日目用の記入欄の上に空白の記入欄を設けたことを特徴とする手帳。
【請求項４】
請求項１乃至３のいずれか１つに記載の手帳において、前記シート体を被包するカバー体を有すると共に、前記裏表紙の外側端近傍には、同カバー体によって形成される一側縁を開口縁とした矩形状の内ポケット部を設けたことを特徴とする手帳。
【請求項５】
請求項１乃至４のいずれか１つに記載の手帳において、前記表紙及び前記裏表紙に貼付けて二つ折り状態となった前記シート体の二つ折り状態での大きさを、縦１２４．５ｍｍ、横７７ｍｍとしていることを特徴とする。
【請求項６】
請求項１乃至５のいずれか１つに記載の手帳において、前記シート体の地色を橙色系としていることを特徴とする手帳。
【考案の詳細な説明】
【技術分野】
【０００１】
本考案は手帳に関する。
【背景技術】
【０００２】
従来より、スケジュールの管理ツールやメモ帳として手帳が利用されている。このような手帳としては、目的に応じて掌サイズからＡ４サイズまでの各種の大きさとしたものや、各種のページ構成としたものが提供されている。
【０００３】
本考案者は、従来の手帳には常々不満を感じており、この不満を解消すべく新たな形態の手帳を発明した。すなわち、その手帳とは、それぞれ形態の異なる１ヶ月分のカレンダーとした複数枚の用紙からなる手帳であって、各用紙を両側縁または一側縁においてそれぞれ他の用紙と切離自在、かつ、折り畳み自在に一列に連設するとともに、各用紙の一側端縁に複数の綴じ込み孔を穿設したものである（例えば、特許文献１参照。）。
【０００４】
そして、１ヶ月間使用した後は、用紙ごとに切離して、綴じ込み孔を利用して所定のバ
インダに綴じ込んで管理可能としている。
【０００５】
本考案者が発明した特許文献１に記載の手帳は、つづら折り状としてコンパクトにすることができ、軽量であることから極めて使いやすいものの、唯一の欠点として、使用後にはバインダなどの綴込用具を用いて綴じて管理する必要があり、綴込用具が持ち運びに不向きであるために、急に過去の記録内容の確認が必要となった場合に、綴込用具を持ち運んでいないことがほとんどであるので、直ちに記録内容を確認することができないという問題があった。
【０００６】
特に、一般的なビジネスにおいては、確認が必要となる過去の記録内容としては、前年あるいは数年前の同月同日またはその前後の日の内容であることが多く、これらの記録内容を速やかに確認可能となっていなかった。
【０００７】
そこで、本考案者は、携帯性を損なうことなく過去の記録内容の確認を行いやすい手帳を考案した（例えば、特許文献２参照。）。
【特許文献１】特開２０００−１５８８５２号公報
【特許文献２】実用新案登録第３１３７２０１号公報
【考案の開示】
【考案が解決しようとする課題】
【０００８】
しかしながら、本考案者が考案した特許文献２に記載の手帳は、携帯性を損なうことなく過去の記録内容の確認を行いやすく、複数枚の無地頁を綴じて形成したメモ帳を備えていることによって、必要なメモを速やかに書きとめることができるものの、同メモ帳が、別冊になっているために、紛失するおそれがあり、また、書きとめたメモの内容を確認する際に、過去のいつの時点での内容であるかを速やかに確認できないおそれがあった。
【０００９】
本考案者は、このような現状に鑑み、携帯性を損なうことなく過去の記録内容の確認を行いやすく、書きとめたメモを紛失するおそれのなく、書きとめたメモの内容の記載した時期も確認しやすい手帳とすべく開発を行って、本考案を成すに至ったものである。
【課題を解決するための手段】
【００１０】
そこで、請求項１に係る本考案では、１年分のカレンダーを１頁に表示した年間カレンダー頁と、１年間の目標を記入可能とした目標記入頁と、見開きの左側の頁に１日から１５日までの日ごとに区分した記入欄を設けるとともに見開きの右側の頁に１６日から３１日までの日ごとに区分した記入欄を設けた月間カレンダー頁と、月間カレンダー頁と月間カレンダー頁との間に見開きの左側の頁も見開きの右側の頁も無地頁で構成されたメモ頁とを表紙と裏表紙との間に設け、表紙の表面から裏表紙の表面にかけて耐水性材のシート体を貼付けた手帳であって、５年分の年間カレンダー頁と、５年分の目標記入頁と、５年分の月間カレンダー頁と、５年分の月間カレンダー頁に対応するメモ頁とを有する手帳とした。
【００１１】
また、請求項２に係る本考案では、請求項１に記載の考案において、月間カレンダー頁には、所定の日付の記入欄に月齢を示すマーク、二十四節気の名称、または六曜を表示したことにも特徴を有する。
【００１２】
また、請求項３に係る本考案では、請求項１又は請求項２に記載の考案において、月間カレンダー頁は、水平方向に延伸させた複数の罫線によって記入欄を形成し、上から順番に昇順で各日用の記入欄とするとともに、各月の第１日目用の記入欄の上に空白の記入欄を設けたことにも特徴を有する。
【００１３】
また、請求項４に係る本考案では、請求項１乃至３のいずれか１つに記載の考案において、シート体を被包するカバー体を有すると共に、裏表紙の外側端近傍には、同カバー体によって形成される一側縁を開口縁とした矩形状の内ポケット部を設けたことにも特徴を有する。
【００１４】
また、請求項５に係る本考案では、請求項１乃至４のいずれか１つに記載の考案において、表紙及び裏表紙に貼付けて二つ折り状態となったシート体の二つ折り状態での大きさを、縦１２４．５ｍｍ、横７７ｍｍとしていることにも特徴を有する。
【００１５】
また、請求項６に係る本考案では、請求項１乃至５のいずれか１つに記載の考案において、シート体の地色を橙色系としていることにも特徴を有する。
【考案の効果】
【００１６】
請求項１に記載の考案によれば、５年分の年間カレンダー頁と、５年分の目標記入頁と、５年分の月間カレンダー頁を有することによって、過去の記録内容の確認を速やかに行うことができる。しかも、中長期に亘った自己の目標達成状況や事業の推移状況を容易に確認できる。また、５年分の月間カレンダー頁に対応するメモ頁を有することによって、メモ頁を別冊とした場合と比較すると、メモ頁を紛失するおそれがない。更に、同メモ頁は、月間カレンダー頁と月間カレンダー頁との間に形成されていることから、書きとめたメモの内容を確認する際に、過去のいつの時点での内容であるかを速やかに確認できる。
【００１７】
請求項２記載の考案によれば、請求項１に記載の手帳において、月間カレンダー頁に、所定の日付の記入欄に月齢を示すマーク、二十四節気の名称、または六曜を表示したことによって、現在と、前年または数年前の同時期の対比を行いやすくすることができる。特に、漁業関係などのように潮の満ち引きの状態に影響を受けやすい業種では、月齢を参考にしながら対比することにより、より正しく対比することができる。また、季節品を取り扱う業種あるいは六曜の影響を受ける業種では、二十四節気あるいは六曜を参考に対比することにより、より正確に対比することができる。
【００１８】
請求項３記載の考案によれば、請求項１又は請求項２に記載の手帳において、月間カレンダー頁では、水平方向に延伸させた複数の罫線によって記入欄を形成し、上から順番に昇順で各日用の記入欄とするとともに、各月の第１日目用の記入欄の上に空白の記入欄を設けたことによって、この空白の記入欄を１ヶ月の目標の記入や、ＴｏＤｏ項目の記入に用いることができ、現状認識を行いやすくすることができる。
【００１９】
請求項４記載の考案によれば、請求項１乃至３のいずれか１つに記載の手帳において、シート体を被包するカバー体を有すると共に、裏表紙の外側端近傍には、同カバー体によって形成される一側縁を開口縁とした矩形状の内ポケット部を設けたことから、例えば、出張などの際、乗車券などを仮に収納することができ、乗車券を紛失するおそれを無くすことができる。
【００２０】
請求項５記載の考案によれば、請求項１乃至４のいずれか１つに記載の手帳において、表紙及び裏表紙に貼付けて二つ折り状態となったシート体の二つ折り状態での大きさを、縦１２４．５mm、横７７ｍｍとしていることによって、手に持った場合の収まりがよく、片手で指示しながら記入を行うことができるとともに、ワイシャツの胸ポケットや背広のポケットへの収まりがよいことにより、携帯性を向上させることができる。
【００２１】
請求項６記載の考案によれば、請求項１乃至５のいずれか１つに記載の手帳において、シート体の地色を橙色系としていることによって、鞄に入れて持ち運ぶ際に、鞄の中で目立たせることができ、速やかに鞄から取り出すことができる。
【考案を実施するための最良の形態】
【００２２】
以下、本考案の最良の実施形態を図面に基づいて説明する。
【００２３】
図１は、本実施形態の手帳の斜視図であり、図２は、年間カレンダー頁の説明図であり、図３は、目標記入頁の説明図であり、図４は、月間カレンダー頁の説明図であり、図５は、メモ頁の説明図であり、図６は、住所録頁の説明図であり、図７は、個人情報頁の説明図であり、図８は、内ポケット部の説明図である。
【００２４】
まず、本考案にかかる実施形態の手帳Ａの外観について説明する。図１に示すように、手帳Ａの外観は通常の手帳と同じであり、厚手の紙製の表紙１１と裏表紙１２を有し、表紙１１の表面から裏表紙１２の表面にかけて耐水性材のシート体１３を貼付けるとともに、シート体１３を二つ折り状態としている。更に、頁の目印のための紐状の栞１４が複数本（ここでは、２本）設けられている。
【００２５】
また、手帳Ａは表紙１１やシート体１３を保護するために、表紙１１を被うシート体１３を被包するように形成されたカバー体４０を有する。
【００２６】
特に、シート体１３は、合成皮革材で形成することにより、耐水性を備えさせるだけでなく、手に馴染みやすく、しかも高級感を醸し出させることができる。
【００２７】
また、シート体１３は地色を橙色系としている。したがって、手帳Ａを鞄に入れて持ち運ぶ際に、鞄の中で目立たせることができ、速やかに鞄から取り出すことができる。なお、シート体１３は必ずしも無地である必要はなく、全体的に暗色系とならない程度で所要のデザインを施してもよい。
【００２８】
栞１４は、前述のように、紐状で複数本（ここでは、２本）設けられており、異なる色、例えば、橙色と灰色とで構成されていることにより、使用者が確認したい過去の記録内容や将来の予定などの記載事項を速やかに検索できるため、使用者の利便性を向上させている。
【００２９】
手帳Ａの大きさは、二つ折り状態で縦１２４．５ｍｍ、横７７ｍｍとしている。このサイズとすることにより、手に持った場合の収まりがよく、片手で支持しながら記入を行うことができる。しかも、ワイシャツの胸ポケットや背広のポケットへの収まりがよく、携帯性を向上させることができる。
【００３０】
次に、本考案にかかる実施形態の手帳Ａの頁について説明する。表紙１１と裏表紙１２の間には、図２に示す年間カレンダー頁２１と、図３に示す目標記入頁２２と、図４に示す月間カレンダー頁２３と、月間カレンダー頁２３と月間カレンダー頁２３との間に、図５に示す無地頁で構成されたメモ頁２４とをそれぞれ少なくとも５年分設けており、さらに、図６に示す住所録頁２５と、図７に示す個人情報頁２６を設けている。
【００３１】
年間カレンダー頁２１は、図２に示すように、１年分のカレンダーを１頁に表示した頁であり、暦の確認を行いやすくしている。
【００３２】
目標記入頁２２は、図３に示すように、１年間の目標を記入可能とした頁であり、１頁で１年分として、水平方向に延伸させた複数の罫線によって記入欄を形成し、目標や注意事項などを適宜記入可能としている。
【００３３】
月間カレンダー頁２３は、図４に示すように、見開きの左側の頁に１日から１５日までの日ごとに区分した記入欄を設けるとともに、見開きの右側の頁に１６日から３１日までの日ごとに区分した記入欄を設けた頁であり、スケジュールや所要のメモを記入可能としている。
【００３４】
特に、月間カレンダー頁２３では、所定の日付の記入欄に月齢を示すマーク、二十四節気の名称、または六曜を表示している。このように記入欄に月齢を示すマークを表示することにより、例えば漁業関係などのように潮の満ち引きの状態に影響を受けやすい業種において、前年あるいは数年前の同月同日近くの同じような潮の状態の日における記載内容を参照できるので、より正しい判断を下せるようにすることができる。また、記入欄に二十四節気の名称や六曜を表示することによって、季節品を取り扱う業種や六曜の影響を受ける業種において、二十四節気や六曜を参考に前年あるいは数年前の記載内容を参照できるので、より正しい判断を下せるようにすることができる。
【００３５】
本実施形態では、月間カレンダー頁２３は、水平方向に延伸させた複数の罫線によって記入欄を形成しており、上から順番に昇順で各日用の記入欄としている。
【００３６】
特に、各月の第１日目用の記入欄の上には、空白の記入欄とした空白行２３ａを設けている。このように空白行２３ａを設けることにより、この空白行２３ａの上側に記載した年月表示２３ｂの視認性を高めることができる一方で、空白行２３ａには、１ヶ月の目標や、ＴｏＤｏ項目を記入することにより、現状認識を行いやすくすることができる。
【００３７】
メモ頁２４は、月間カレンダー頁２３と月間カレンダー頁２３との間に設けられた、図５に示すような見開きの左側の頁も見開きの右側の頁も無地頁で構成された頁である。
【００３８】
住所録頁２５は、図６に示すように、複数人分の勤務先情報や電話番号などの記入欄を設けた頁であって、複数頁設けている。
【００３９】
個人情報頁２６は、図７に示すように、手帳Ａの使用者の名前、住所、電話番号などの記入欄を設けた頁であり、本実施形態では、裏表紙１２の前に設けた最終頁２７の前に設けている。最終頁２７は、個人情報頁２６の保護用に設けているものである。
【００４０】
個人情報頁２６は、運転免許証番号記入欄２６ａ、健康保険証番号記入欄２６ｂ、パスポート番号記入欄２６ｃを設けており、特に、運転免許証番号記入欄２６ａ及びパスポート番号記入欄２６ｃには、有効期限年月日を記入させることにより、有効期限の途過を防止しやすくすることができる。
【００４１】
カバー体４０は、手帳Ａの表紙１１やシート体１３を保護するために、表紙１１やシート体１３を被包するように形成されている。カバー体４０の材質は、可撓性を有する柔軟な合成樹脂（例えば、塩化ビニルなど）などにより構成されている。
【００４２】
内ポケット部４１は、図８に示すように、手帳Ａの裏表紙１２の外側端近傍に、カバー体４０によって形成される一側縁を開口縁４０ａとした矩形状のポケットである。内ポケット部４１には、例えば、出張などの際、乗車券などを仮に収納することができ、乗車券を紛失するおそれを無くすことができる。
【００４３】
また、図示しないが、手帳Ａ内の頁が１年分毎に脱着自在とすることにより、適宜古い頁は取り外し、将来の新しい頁は後で装着する構造とすることもできる。その結果、必要のない頁を省くことができ、例えば手帳Ａを持ち歩く際に、手帳Ａを軽量化でき、持ち運びを楽に行うことができる。また、大切な内容が記載されている古い頁を別途保管でき、外で紛失するおそれがなくなる。
【００４４】
以下に、本考案の実施形態にかかる手帳Ａの使用形態について説明する。
【００４５】
本考案の実施形態にかかる手帳Ａでは、５年分の年間カレンダー頁２１と、５年分の目標記入頁２２と、５年分の月間カレンダー頁２３を有することによって、手帳Ａの使用者は、同地の手帳を５年にわたって使用することができ、過去の記録内容の確認を速やかに行うことができる。しかも、中長期に亘った自己の目標達成状況や事業の推移状況を容易に確認できる。
【００４６】
更に、手帳Ａが、５年分の各月間カレンダー頁２３間にメモ頁２４を有することによって、メモ頁２４を別冊とした場合と比較すると、使用者は、メモ頁２４を紛失するおそれがない。更に、メモ頁２４が各月間カレンダー頁２３間に形成されていることから、書きとめたメモの内容を確認する際に、過去のいつの時点での内容であるかを速やかに確認できる。
【００４７】
特に、年度始まりの使用者は、例えば、本考案の実施形態にかかる手帳Ａが月間カレンダー頁２３を２００９年１月から始まる様に収録した際に、２０１３年１２月までではなく、２０１４年３月までの月間カレンダー頁２３を有することによって、手帳Ａを有効に活用することができる。つまり、手帳Ａは、使用者が手帳Ａを使い始める時期を問わないことから、幅広い層の使用者に利用されることができる。なお、年度始まりの使用者とは、４月から翌年３月までの１年間、すなわち、４月から新年度が始まる日程に基づいて手帳Ａを使用する者のことをいう。
【００４８】
使用者は、紐状で複数本（ここでは、２本）の橙色と灰色とで構成された栞１４を活用することにより、確認したい過去の記録内容や将来の予定などの記載事項を速やかに検索できる。なお、ここでは、栞の色は橙色と灰色とで構成しているが、栞の色の種類は問わない。
【００４９】
例えば、使用者は、橙色の栞１４を現在の月間カレンダー頁２３に、灰色の栞１４を現在より１年前の月間カレンダー頁２３に、それぞれ挟むことにより、現在の事業内容と１年前の事業内容である過去の記録内容との比較や確認を速やかに行うことができる。他にも、使用者は、自身の確認したい内容によって、複数本の栞１４を使い分けることにより、手帳Ａをより効率的に活用することができる。
【図面の簡単な説明】
【００５０】
【図１】本実施形態の手帳の斜視図である。
【図２】年間カレンダー頁の説明図である。
【図３】目標記入頁の説明図である。
【図４】月間カレンダー頁の説明図である。
【図５】メモ頁の説明図である。
【図６】住所録頁の説明図である。
【図７】個人情報頁の説明図である。
【図８】内ポケット部の説明図である。
【符号の説明】
【００５１】
Ａ      手帳
１１    表紙
１２    裏表紙
１３    シート体
２１    年間カレンダー頁
２２    目標記入頁
２３    月間カレンダー頁
２３ａ  空白行
２３ｂ  年月表示
２４    メモ頁
２５    住所録頁
２６    個人情報頁
２６ａ  運転免許証番号記入欄
２６ｂ  健康保険証番号記入欄
２６ｃ  パスポート番号記入欄
２７    最終頁
４０    カバー体
４０ａ  開口縁
４１    内ポケット部
【図１】
0003147702.tif 000003
【図２】
0003147702.tif 000004
【図３】
0003147702.tif 000005
【図４】
0003147702.tif 000006
【図５】
0003147702.tif 000007
【図６】
0003147702.tif 000008
【図７】
0003147702.tif 000009
【図８】
0003147702.tif 000010